(57)【特許請求の範囲】
【請求項１】
内部にターボブロワー（４１０）が位置するターボブロワーの外函であって、
前記外函の外側をなすハウジング（１）；
前記ハウジング（１）内部の一側に区画された空間であり、外気流入部（１０１）を通じて外部と連通される外気流入室（２００）；
前記ハウジング（１）の内部の他側に区画された空間であるインバータ室（３００）；
前記インバータ室（３００）と、前記外気流入室（２００）との間に位置する空間の上部に区画された空間であり、内部には、前記外気流入室（２００）と連通される吸入ノズルを備えるターボブロワー（４１０）が位置し、その一側には、第１冷媒吐出口（４０１）が位置するモータ室（４００）；及び
前記モータ室（４００）下部の空間であり、冷媒流入部（５１０）を通じて外部と連通される冷媒流入室（５００）；を含み、
前記インバータ室（３００）の上部及び下部は、前記モータ室（４００）と前記冷媒流入室（５００）とそれぞれ連通され、
前記冷媒流入室（５００）は、前記モータ室（４００）と連通され、
前記外気流入室（２００）を経て流入される空気は、前記ターボブロワー（４１０）を通じて前記モータ室（４００）外部に排出され、
前記冷媒流入室（５００）に流入される空気の一部は、前記インバータ室（３００）の下部から上部を経て前記モータ室（４００）に流入され、前記冷媒流入室（５００）に流入される空気の残りの一部は、前記モータ室（４００）に直接流入される、
ターボブロワーの外函。
【請求項２】
前記ハウジング（１）を構成する後面板（１１０）、前面板（１２０）、上板（１３０）、下板（１４０）、及び複数の両側板（１５０、１６０）；
前記ハウジング（１）の前記後面板（１１０）側の内部に位置し、前記外気流入室（２００）の空間を区画する第１隔壁（１０）；
前記ハウジング（１）の前記前面板（１２０）側に位置し、その内部にインバータ（３１０）が配置される前記インバータ室（３００）の空間を区画する第２隔壁（２０）；
前記第１隔壁（１０）と前記第２隔壁（２０）との間に位置し、前記モータ室（４００）と前記冷媒流入室（５００）との空間をそれぞれ上下に区画する第３隔壁（３０）；
前記第１隔壁（１０）に位置し、前記外気流入室（２００）が、前記ターボブロワー（４１０）の吸入ノズルと連通される外気通気口（１１）；
前記第２隔壁（２０）に位置し、前記冷媒流入室（５００）と前記インバータ室（３００）が連通される第１冷媒通気口（２２）；
前記第２隔壁（２０）に位置し、前記インバータ室（３００）と前記モータ室（４００）が連通される第２冷媒通気口（２１）；及び
前記第３隔壁（３０）に位置し、前記冷媒流入室（５００）と前記モータ室（４００）が連通される第３冷媒通気口（３１）；をさらに含む、請求項１に記載のターボブロワーの外函。
【請求項３】
前記ハウジング（１）の外部に位置し、前記冷媒流入部（５１０）を通じて、前記冷媒流入室（５００）に冷媒を直接注入する冷媒注入装置をさらに含む、請求項１に記載のターボブロワーの外函。
【請求項４】
前記外気流入室（２００）内に位置する吸音隔壁（１１２）をさらに含む、請求項１に記載のターボブロワーの外函。
【請求項５】
前記外気流入部（１０１）に位置するフィルタ（１１１）をさらに含み、
前記外気流入室（２００）に流入される外気は悪臭ガスであり、前記フィルタ（１１１）を経て、前記ターボブロワー（４１０）に流入され、前記モータ室（４００）の外部に排出される、請求項１に記載のターボブロワーの外函。
【請求項６】
前記モータ室（４００）の他側に位置する第２冷媒吐出口（４０２）をさらに含む、請求項１に記載のターボブロワーの外函。
【請求項７】
前記後面板（１１０）、前記前面板（１２０）、前記上板（１３０）、前記下板（１４０）、前記複数の両側板（１５０、１６０）、前記第１隔壁（１０）、前記第２隔壁（２０）及び前記第３隔壁（３０）は、分離及び組み立てが可能なように構成される、請求項２に記載のターボブロワーの外函。
【発明の詳細な説明】
【技術分野】
【０００１】
本発明は、ターボブロワーが設置されるターボブロワーの外函であり、詳しくは、ターボブロワーに流入される空気と外函内部の装置を冷却するための冷却空気を分離してターボブロワーの性能及び効率を向上させるターボブロワーの外函に関する。
【背景技術】
【０００２】
ターボブロワーは、モータの回転力を利用してインペラを高速で回転させて外部の空気を流入させ、これを送風する機械をいい、送風ないしは曝気用として使用されている。
【０００３】
このようなターボブロワーの駆動及び制御のためにインバータなどの装置が必要であり、これは、一般にターボブロワーが収容される外函に設置される。
【０００４】
ターボブロワーの駆動によりターボブロワーモータとインバータなどの装置には、熱が発生するため、これを冷却する必要がある。
【０００５】
しかし、従来のターボブロワーの外函は、ターボブロワーの吸入流路と、冷却空気の吸入流路を共に使用する場合が多く、これにより、冷却に既に使用された空気がターボブロワーに吸入されたり、ターボブロワーに吸入される外気の一部をインバータ等の冷却に使用していた。
【０００６】
前者の場合、ターボブロワーインペラの入口空気温度が上昇してターボブロワーの性能が低下することがあり、後者の場合、外気の空気の質が良くない場合、外函の内部流路のほこり沈殿により長時間の使用が不可能であり、また、外気温度自体が高い場合、当然、冷却効率が低下する。
【先行技術文献】
【特許文献】
【０００７】
【特許文献１】ＫＲ１，９１１，７５４  Ｂ１
【発明の概要】
【発明が解決しようとする課題】
【０００８】
そこで、本発明は、前記した従来の問題点に着目し、これを解決するために案出されたものであり、本発明の主な目的は、ターボブロワーに吸入される空気と冷却空気を分離し、より効率的な冷却を行うターボブロワーの外函を提供する。
【課題を解決するための手段】
【０００９】
前記の目的を達成するために、本発明は、内部にターボブロワーが位置するターボブロワーの外函であり、前記外函の外側をなすハウジング；前記ハウジング内部の一側に区画された空間であり、外気流入部を通じて外部と連通される外気流入室；前記ハウジング内部の他側に区画された空間であるインバータ室；前記インバータ室と前記外気流入室との間に位置する空間の上部に区画された空間であり、内部には、前記外気流入室と連通される吸入ノズルを備えるターボブロワーが位置し、その一側には、第１冷媒吐出口が位置するモータ室；及び前記モータ室下部の空間であり、冷媒流入部を通じて外部と連通される冷媒流入室；を含み、前記インバータ室の上部及び下部は、前記モータ室と前記冷媒流入室とそれぞれ連通され、前記冷媒流入室は、前記モータ室と連通されるターボブロワーの外函を提供する。
【００１０】
前記ハウジングを構成する後面板、前面板、上板、下板、及び複数の両側板；前記ハウジングの前記後面板側の内部に位置し、前記外気流入室の空間を区画する第１隔壁；前記ハウジングの前記前面板側に位置し、その内部にインバータが配置される前記インバータ室の空間を区画する第２隔壁；前記第１隔壁と前記第２隔壁との間に位置し、前記モータ室と前記冷媒流入室との空間をそれぞれ上下に区画する第３隔壁；前記第１隔壁に位置し、前記外気流入室が、前記ターボブロワーの吸入ノズルと連通される外気通気口；前記第２隔壁に位置し、前記冷媒流入室と前記インバータ室が連通される第１冷媒通気口；前記第２隔壁に位置し、前記インバータ室と前記モータ室が連通される第２冷媒通気口；及び前記第３隔壁に位置し、前記冷媒流入室と前記モータ室が連通される第３冷媒通気口；をさらに含むことが望ましい。
【００１１】
前記ハウジングの外部に位置し、前記冷媒流入部を通じて前記冷媒流入室に冷媒を直接注入する冷媒注入装置をさらに含むことが望ましい。
【００１２】
前記外気流入室内に位置する吸音隔壁をさらに含むことが望ましい。
【００１３】
前記外気流入部に位置するフィルタをさらに含み、前記外気流入室に流入される外気は悪臭ガスであり、前記フィルタを経て前記ターボブロワーに流入され、前記モータ室の外部に排出されることが望ましい。
【００１４】
前記モータ室の他側に位置する第２冷媒吐出口をさらに含むことが望ましい。
【００１５】
前記後面板、前記前面板、前記上板、前記下板、前記複数の両側板、前記第１隔壁、前記第２隔壁及び前記第３隔壁は、分離及び組み立てが可能なように構成されることが望ましい。
【発明の効果】
【００１６】
本発明に係るターボブロワーの外函によると、次のような効果を得ることができる。
【００１７】
１）ターボブロワーに流入する外気と冷却のための空気を分離することにより、より効率的な冷却が可能であり、これによりターボブロワーの性能を向上させることができる。
２）外部空気の質がよくないか、設置場所の温度が高い場合に、冷媒を別途直接注入することにより、運転に支障がなくなる。
３）外函の外部で運転時に発生する騒音を７５ｄｂｍ以下に減らすことができる。
４）悪臭ガスを吸入口に吸入することができ、吸入口とモータの冷却口を分離してブロワー外部でモータの冷却吐出口から悪臭ガスが発生しない。
５）装備の進入が不可能な狭い進入路となった現場に分離された状態で移送し、現場での組み立てが可能であり、また、設置された現場から他の現場への移動設置も容易であるという長所がある。
【図面の簡単な説明】
【００１８】
【図１】本発明の好ましい実施例に係るターボブロワーの外函の斜視図である。
【図２】本発明の好ましい実施例に係るターボブロワーの外函の背面図である。
【図３】本発明の好ましい実施例に係るターボブロワーの外函の正面図であり、冷媒注入装置が連結された様子を示す。
【図４】本発明の好ましい実施例に係るターボブロワーの外函の内部を示した側面図である。
【図５】本発明の好ましい実施例に係るターボブロワーの外函の分解斜視図である。
【図６】本発明の好ましい実施例に係るターボブロワーの外函の内部を示した側面図であり、外気及び冷媒の流動経路を示す。
【発明を実施するための形態】
【００１９】
本発明の前記のような目的、特徴及び他の利点は、添付図面を参照して本発明の好ましい実施例を詳しく説明することにより、より一層明らかになるだろう。この過程で、図面に示された線の太さや構成要素の大きさなどは、説明の明瞭性と便宜上誇張して図示されていることがある。また、後述される用語は、本発明での機能を考慮して定義された用語であり、これは、ユーザー、運用者の意図または慣例によって異なりうる。したがって、このような用語に関する定義は、本明細書の全般にわたった内容をもとに記述されるべきである。
【００２０】
また、記述される実施例は、発明の説明のために例示的に提供されるものであり、本発明の技術的範囲を限定するものではない。
【００２１】
以下、本発明の好ましい実施例に係るターボブロワーの外函を詳しく説明する。
【００２２】
まず、図１〜図５を参照し、本発明の好ましい実施例に係るターボブロワーの外函の構成を詳しく説明する。
【００２３】
以下の説明において、前後左右などの方向の名称は発明の理解のためのものであり、その方向に構成要素の配置などを限定するものではないことに注意する。
【００２４】
本発明の好ましい実施例に係るターボブロワーの外函は、ハウジング１、外気流入室２００、インバータ室３００、モータ室４００及び冷媒流入室５００を含む。
【００２５】
ハウジング１は、ターボブロワーの外函の外部形態をなす構成であり、その内部に空間が設けられる。
【００２６】
ハウジング１は、後面板１１０、前面板１２０、上板１３０、下板１４０、及び複数の両側板（左側板１５０、右側板１６０）で構成される。
【００２７】
後面板１１０は、ハウジング１の背面をなし、前面板１２０は、前記後面板１１０と対向して配置されることによりハウジング１の前面をなす。
【００２８】
上板１３０及び下板１４０は、それぞれ、前記後面板１１０及び前面板１２０の上下部に位置し、ハウジング１の上部及び下部をなす。
【００２９】
また、両側板１５０、１６０は、ハウジング１の左側及び右側にそれぞれ位置し、ハウジング１の両側面をなす。
【００３０】
ハウジング１の後面板１１０には、吸入口が形成された外部ケース２が後面板１１０を覆うように位置することができる。
【００３１】
ハウジング１内部の空間は、外気流入室２００、インバータ室３００、モータ室４００及び冷媒流入室５００に区画される。
【００３２】
外気流入室２００は、ハウジング１内部の一側、具体的にはハウジング１の後面板１１０側に位置する空間であり、後面板１１０と所定間隔が離隔されて位置する第１隔壁１０により区画された空間である。
【００３３】
外気流入室２００の前方には、後面板１１０が一部開放された外気流入部１０１が位置する。
【００３４】
この外気流入部１０１を通じて外部と外気流入室２００の内部が連通されることにより、外函外部の空気が外気流入部１０１を通じて外気流入室２００の内部に流入される。
【００３５】
インバータ室３００は、ハウジング１の内部の他側、具体的にはハウジング１の前面板１２０側に位置する空間であり、前面板１２０と所定間隔離隔されて位置する第２隔壁２０により区画された空間である。
【００３６】
インバータ室３００の内部には、ハーモニックフィルタ３２０及びインバータ３１０が配置され、これはターボブロワー４１０に連結される。インバータ３１０の一側には、インバータ３１０とハーモニックフィルタ３２０を制御する制御部６００が設置されてもよい。
【００３７】
外気流入室２００と、インバータ室３００をそれぞれ区画する第１隔壁１０と第２隔壁２０との間にも空間が形成されるが、この空間に、モータ室４００と冷媒流入室５００が位置する。
【００３８】
第３隔壁３０は、インバータ室３００と外気流入室２００をそれぞれ区画する第１隔壁１０と第２隔壁２０との間で第１隔壁１０及び第２隔壁２０と直交するように位置し、前記空間を上下に区画する。
【００３９】
上下に区画された空間の上側空間は、モータ室４００となり、下側の空間は、冷媒流入室５００となる。
【００４０】
モータ室４００の内部には、ターボブロワー４１０が配置され、外気吐出口４２０、第１冷媒吐出口４０１及び第２冷媒吐出口４０２が位置する。
【００４１】
具体的には、外気吐出口４２０及び第１冷媒吐出口４０１は、モータ室４００の上部をなす上板１３０に形成されてもよく、第２冷媒吐出口４０２は、モータ室４００の側面をなす左側板１５０に形成されてもよいが、これに限定されるものではない。
【００４２】
冷媒流入室５００は、モータ室４００の下部に位置する空間であり、その一側に位置する冷媒流入部５１０を通じて外部と連通され、この冷媒流入部５１０を通じて冷媒が冷媒流入室５００に流入される。
【００４３】
ここで、冷媒は、外部から流入される空気であってもよいが、これに限定されるものではなく、冷却効果を得ることができるその他の気体を全て含む。
【００４４】
そして、冷媒流入部５１０には、冷媒を冷媒流入室５００に流入させるための吸気ファン５２０が設置されてもよく、吸気ファン５２０の動作は、前記制御部６００により制御される。
【００４５】
また、図３に示すように、ハウジング１外部で吸入ダクト５０を通じて冷媒流入部５１０と連結され、前記冷媒流入室５００に冷媒を直接注入する冷媒注入装置が備えられてもよい。
【００４６】
冷媒注入装置の構成は、限定されるものではなく、冷媒を注入するためのエアコン、エアコンプレッサなどで構成されてもよい。これにより、単に外部の空気を流入させて冷却を行うことより効率的な冷却が可能であり、外函が設置される場所の外部空気の質が良くない場合や、温度が高くて外部の空気を冷媒として使用するに適切でない場合に別途の冷媒を直接注入して冷却が可能であるため、温度が高い現場にも設置して使用が可能であり、また、外函の内部の汚染を防止することができる。
【００４７】
前記各空間を区画する隔壁について説明する。
【００４８】
第１隔壁１０には、その一部が開放された外気通気口１１が位置し、外気通気口１１は、モータ室４００に位置するターボブロワー４１０の吸入ノズルに連結される。
【００４９】
第２隔壁２０の下部には、第１冷媒通気口２２が位置して冷媒流入室５００とインバータ室３００が連通され、第２隔壁２０の上部には、第２冷媒通気口２１が位置し、インバータ室３００とモータ室４００が連通する。
【００５０】
そして、第３隔壁３０には、第３冷媒通気口３１が位置して冷媒流入室５００とモータ室４００が連通する。
【００５１】
これにより、インバータ室３００の上部及び下部は、モータ室４００と冷媒流入室５００とそれぞれ連通され、冷媒流入室５００は、モータ室４００と連通する。
【００５２】
また、図５に示すように、ハウジング１をなす各板１１０、１２０、１３０、１４０、１５０、１６０及びハウジング１の内部を区画する各隔壁１０、２０、３０は、分離及び組み立てが可能なように構成される。
【００５３】
すなわち、ハウジング１をなす前記後面板１１０、前面板１２０、上板１３０、下板１４０、右側板１６０及び左側板１５０、そしてハウジング１の内部を区画する前記第１隔壁１０、第２隔壁２０及び第３隔壁３０は、分離及び組み立てが可能なように構成される。
【００５４】
従来は、ターボブロワーの外函は、現場に設置されるとき、現場の施工時に設置を行う方式であるため、外函は一体型で構成されている。
【００５５】
しかし、前記のように、本発明に係るターボブロワーの外函は、ハウジング１を構成する各板及び隔壁が組み立て及び分離が可能なように構成されるため、既に施工された現場に分離された状態で移送し、現場での組み立てが可能であり、さらに、設置された現場から他の現場への移動設置も容易であるという長所がある。
【００５６】
外気流入部１０１には、流入する外気を浄化するためのフィルタ１１１が設置されてもよい。これにより、外函の内部に悪臭ガスなどを外気として流入させて使用することができる。
【００５７】
悪臭ガスは、悪臭成分を含む空気であり、悪臭ガスは、高濃度及び低濃度の悪臭ガスに区分されることができる。
【００５８】
高濃度の悪臭ガスは、１）測定地点の複合悪臭係数を１００を超え、２）悪臭成分中、最小感知濃度比悪臭係数推定値５００以上、３）悪臭成分中、ＴＨＣ  ２０ＰＰＭ以上の３つの条件のいずれか一つでも満たせば高濃度悪臭ガスに分類される。
【００５９】
このような、高濃度悪臭ガスが発生する設備は、例えば、スクリーン設備、有機／アルカリ／ＮＦ集水槽、有機無酸素槽、汚泥濃縮槽／貯留槽、ＮＦ反応／沈殿槽などを挙げることができる。
【００６０】
前記高濃度悪臭ガスに分類されない全ての悪臭ガスは低濃度悪臭ガスに分類され、低濃度悪臭ガスが発生する設備は、例えば、酸、ＨＦ集水槽／反応槽／沈殿槽、薬品タンク、汚泥脱水室／Ｃａｋｅ搬出室、下水高度処理設備（ＰＣＦ、ＧＣＦ、ＡＣＦなど）、放流設備などを挙げることができる。
【００６１】
外気流入部１０１にフィルタ１１１が設置されることにより、本実施例に係る外函を悪臭ガスが発生する前記設備に設置し、設備から発生する悪臭ガスを浄化して排出することができる。
【００６２】
そして、外気流入室２００の内部、具体的には、外気流入室２００の外気流入部１０１後段に位置する吸音隔壁１１２が配置される。これにより、外気流入部１０１を通じて外気流入室２００に流入される外気による騒音を７５ｄｂｍ以下に減らすことができ、フィルタ１１１を交換時にターボブロワー４１０の回転するインペラから人間を保護することができ、フィルタ１１１に付着されたパーティクルがインペラに入ることを防止することができる。
【００６３】
以下、図６をさらに参照し、本発明の好ましい実施例に係るターボブロワーの外函の動作を説明する。図６の太い矢印は外気（悪臭ガス）及び冷媒の流路を示す。
【００６４】
まず、制御部６００によるハーモニックフィルタ３２０及びインバータ３１０の動作により、それと連結されたターボブロワー４１０の駆動が行われる。
【００６５】
また、制御部６００は、ハーモニックフィルタ３２０及びインバータ３１０の制御と共に吸気ファン５２０を動作させる。
【００６６】
ターボブロワー４１０の駆動により外気流入室２００の内部に負圧が発生し、これにより外気が外部カバー２の流入口３を通じて吸気されながら、後面板１１０に位置するフィルタ１１１を経てターボブロワー４１０のモータに吸入される。既存のターボブロワーのモータ室は負圧を形成するが、本発明では、モータの冷却を効率的に行うことができるように、モータ冷却空気の吸入となるモータ室４００の気圧が吸入ファン５１０からの空気注入により正圧に形成される。
【００６７】
フィルタ１１１を経た外気は、第１隔壁１０の外気通気口１１に直接流入されず、吸音隔壁１１２により流動経路が変わりながら、外気流入室２００の上部及び下部を経て外気通気口１１に吸入され、ターボブロワー４１０を通じてモータ室４００の上部の外気吐出口４２０に排出される。
【００６８】
前記のようなインバータ３１０とターボブロワー４１０の動作により、インバータ３１０とターボブロワー４１０のモータに熱が発生するようになる。
【００６９】
一方、吸気ファン５２０の動作により、外部から空気または冷媒注入装置から吸入ダクト５０を通じて冷媒が直接冷媒流入部５１０を通じて冷媒流入室５００に流入される。
【００７０】
冷媒流入室５００に流入した冷媒の一部は、第２隔壁２０の下部に位置する第１冷媒通気口２２を通過し、インバータ室３００の内部に流入され、残りの一部は、第３隔壁３０に位置する第３冷媒通気口３１を通じて、モータ室４００の内部に流入される。
【００７１】
インバータ室３００に流入した冷媒は、インバータ室３００の上部に流動しながらハーモニックフィルタ３２０及びインバータ３１０を冷却し、第２隔壁２０の上部に位置する第２冷媒通気口２１を通過してモータ室４００に流入され、モータ室４００をさらに冷却し、モータ室４００の上部のダクトを通じて第２冷媒吐出口４０２に排出される（図２を参照）。
【００７２】
そして、第３冷媒通気口３１を通じて、モータ室４００の内部に流入した冷媒は、モータ室４００の上部に流動しながらターボブロワー４１０のモータを冷却し、第１冷媒吐出口４０１に排出される。
【００７３】
以上、本発明に係るターボブロワーの外函によると、次のような効果を得ることができる。
【００７４】
１）ターボブロワーに流入する外気と冷却のための空気を分離することにより、より効率的な冷却が可能であり、これによりターボブロワーの性能を向上させることができる。
２）別途の冷媒を直接注入することにより、効率的な冷却が可能であり、外部空気の質が良くない場合に冷媒を直接注入することにより、冷却性能を維持することができ、外函内部の汚染を防止することができる。
３）外函の内部で発生する騒音を低減することができる。
４）悪臭ガスが発生する設備に設置し、設備から発生する悪臭ガスを吸入することができる。
５）既に施工された現場に分離された状態で移送し、現場での組み立てが可能であり、また、設置された現場から他の現場への移動設置も容易であるという長所がある。
【００７５】
以上において、本発明の好適な実施例について説明したが、本発明は、上述した特定の実施例に限定されない。すなわち、本発明が属する技術分野において通常の知識を有する者であれば、添付された特許請求の範囲の思想及びカテゴリを逸脱することなく、本発明に対する多数の変更及び修正が可能であり、そのようなすべての適切な変更及び修正の均等物も、本発明の範囲に属するものとみなされるべきである。
【符号の説明】
【００７６】
１：ハウジング
１１１：フィルタ
１１２：吸音隔壁
２００：外気流入室
３００：インバータ室
３１０：インバータ
４００：モータ室
４１０：ターボブロワー
５００：冷媒流入室
５１０：吸気ファン
【図１】
0006956816.tif 000002
【図２】
0006956816.tif 000003
【図３】
0006956816.tif 000004
【図４】
0006956816.tif 000005
【図５】
0006956816.tif 000006
【図６】
0006956816.tif 000007